(57)【要約】【課題】ジグビー通信システムにおいて、スリープモードからアクティブモードに切り換えるジグビーデバイス及びその低電力ウェイクアップ方法を提供すること。【解決手段】スリープタイマを設定し、該ジグビーデバイスの電源を遮断してスリープモードを設けるステップと、ウェイクアップイベントが発生すると、自身のウェイクアップパケットであるか否かを確認するステップと、該ウェイクアップパケットの確認結果、自身のウェイクアップパケットの場合、該ＭＡＣ処理部に電源を与えるステップと、該ＭＡＣ処理部がモデム部及びＲＦ部を制御し、該ウェイクアップパケットのＩＤをチェックするステップと、該ＩＤのチェックの結果、自身のＩＤの場合、該ＣＰＵへの給電を行うステップとを含む低電力ウェイクアップ方法を提供する。【選択図】図２
2010109959.tif 000002
【特許請求の範囲】
【請求項１】
スリープモード及びアクティブモードを有する低電力ジグビーデバイスにおいて、
電源を供給する電源供給部と、
ウェイクアップパケットを受信し、モデム部及びＲＦ部を制御するＭＡＣ処理部と、
データパケットを受信して処理するＣＰＵと、
を含み、
前記ＭＡＣ処理部が、ウェイクアップパケットのＩＤチェックの結果に基づいて、前記電源供給部から前記ＣＰＵへの給電を行うようにすることを特徴とする低電力ジグビーデバイス。
【請求項２】
前記電源供給部は、スリープタイマが終了するかまたは外部信号がある場合、前記ＭＡＣ処理部への給電を行うことを特徴とする請求項１に記載の低電力ジグビーデバイス。
【請求項３】
前記電源供給部は、スリープタイマが終了するか、または外部信号がある場合、前記ＣＰＵへの給電を行わないことを特徴とする請求項２に記載の低電力ジグビーデバイス。
【請求項４】
前記ＭＡＣ処理部は、前記ウェイクアップパケットのＩＤのチェックの結果、該ＩＤが自身のＩＤの場合、前記電源供給部をして前記ＣＰＵに電源供給信号を指示するようにし、該ＩＤが自身のＩＤではない場合、スリープモードに切り換えることを特徴とする請求項１〜３のうちのいずれか一つに記載の低電力ジグビーデバイス。
【請求項５】
電源供給部、ＭＡＣ処理部及びＣＰＵを備えるジグビーデバイスの低電力ウェイクアップ方法において、
スリープタイマを設定し、該ジグビーデバイスの電源を遮断し、スリープモードを設けるステップと、
ウェイクアップイベントが発生すると、前記ＭＡＣ処理部に電源を与えるステップと、
前記ＭＡＣ処理部がモデム部及びＲＦ部を制御し、ウェイクアップパケットを受信し、該ウェイクアップパケットのＩＤをチェックするステップと、
前記ＩＤのチェックの結果、該ＩＤが自身のＩＤの場合、前記ＣＰＵへの給電を行うステップと、
を含むことを特徴とする低電力ウェイクアップ方法。
【請求項６】
前記ＭＡＣ処理部に電源を与えるステップにて、前記ＣＰＵへの給電を行わないことを特徴とする請求項５に記載の低電力ウェイクアップ方法。
【請求項７】
前記ＣＰＵへの給電を行うステップにて、前記ＭＡＣ処理部が前記ウェイクアップパケットのＩＤのチェックの結果に基づいて、前記電源供給部に前記ＣＰＵへの給電を行うようにすることを特徴とする請求項６に記載の低電力ウェイクアップ方法。
【請求項８】
前記ＭＡＣ処理部が、前記ウェイクアップパケットのＩＤのチェック結果、該ＩＤが自身のＩＤではない場合、再びスリープモードに切り換えることを特徴とする請求項７に記載の低電力ウェイクアップ方法。
【発明の詳細な説明】
【技術分野】
【０００１】
本発明は、ジグビー（ＺｉｇＢｅｅ，登録商標）通信システムにおいて低電力ウェイクアップ方法でスリープモードからアクティブモードに切り換えるジグビーデバイス及びその低電力ウェイクアップ方法に関するものであって、より詳細には、ジグビーデバイスがウェイクアップパケットを受信した場合に無線モデム部及びＣＰＵ（Ｃｅｎｔｒａｌ  Ｐｒｏｃｅｓｓｉｎｇ  Ｕｎｉｔ）部の両方に電源を与え、ウェイクアップパケットを受信してチェックする従来技術とは異なり、無線モデム部内のＭＡＣ処理部でウェイクアップパケットのＩＤまでをチェックする低電力ジグビーデバイス及びその低電力ウェイクアップ方法に関するものである。
【背景技術】
【０００２】
近距離通信市場である家庭、事務室などの無線ネットワークに係るユビキタスコンピューティング技術は、最近最も注目されている分野の中の一つである。パーソナルエリア無線ネットワーク（Ｗｉｒｅｌｅｓｓ  Ｐｅｒｓｏｎａｌ  Ａｒｅａ  Ｎｅｔｗｏｒｋ：ＷＰＡＮ）技術の一つであるジグビー（ＺｉｇＢｅｅ）は、低電力、低コスト、低速が特長の２．４ＧＨｚベースのホームオートメーション及びデータのための個人無線ネットワーク規格であって、ＩＥＥＥ８０２．１５．４で標準化が進行された。該標準案を参照すれば、ジグビーは２．４ＧＨｚ、９１５ＭＨｚ、８６８ＭＨｚの周波数帯を用いて、周波数別に２５０ｋｂｐｓ（２．４ＧＨｚ  ＩＳＭ帯域で１６個のチャンネル）、４０ｋｂｐｓ／２０ｋｂｐｓ（９１５ＭＨｚ帯域で１０個のチャンネル／８６８ＭＨｚ帯域で１つのチャンネル）の伝送速度を有することができ、モデム方式はＤＳＳＳ（Ｄｉｒｅｃｔ  Ｓｅｃｕｒｅ  Ｓｐｒｅａｄ  Ｓｐｅｃｔｒｕｍ）として半径３０ｍ内で２０〜２５０ｋｂｐｓの速度でデータを伝送し、一つの無線ネットワークに最大２５５台までの機器を接続し、室内外に大規模の無線センサ網を構成することができる。
【０００３】
ジグビーは、ブルートゥース（Ｂｌｕｅｔｏｏｔｈ，登録商標）あるいはＵＷＢ（Ｕｌｔｒａ  Ｗｉｄｅ  Ｂａｎｄ）といった他のＷＰＡＮ技術と対比して、超低電力消費が可能で、無線送受信回路の構成が単純化され、最も安価なチップセットの価格を具現することができるという利点を有し、センサネットワークのようなバーチカルアプリケーション領域において競争力のある短距離無線通信技術である。例えば、ビル内の照明／火災感知／冷暖房システムなどにジグビーを導入することによって、ビル管理人は管理室でなく携帯用装置によって遠隔にビルシステムの管理及び制御を行うことができるようになる。
【０００４】
一方、ＷＰＡＮ、ＵＷＢ、ＲＦＩＤなどのＳｏＣ（Ｓｙｓｔｅｍ  ｏｎ  ａ  Ｃｈｉｐ）への研究が進行している。一般に、ＳｏＣは一個のチップ上にシステムが具現されているチップのことを意味する。無線通信用ＳｏＣはＲＦ部、モデム部、メモリ、ＣＰＵ及び周辺部まで含んでおり、低電力消費とすることが肝要な要求事項になっている。バッテリ付き無線通信用ＳｏＣを用いる製品は、その電力消費を抑えることが製品の市場競争力を決定する要素となる。
【０００５】
このような無線通信用ＳｏＣを用いてＥＳＬ（Ｅｌｅｃｔｒｏｎｉｃ  Ｓｈｅｌｆ  Ｌａｂｅｌｓ）システムを構築するにあたって、各々のエンドデバイス（ｅｎｄ  ｄｅｖｉｃｅ）はスリープモード（Ｓｌｅｅｐ  ｍｏｄｅ）を用いて電力消耗を減らしている。
【０００６】
図１は、従来技術によるウェイクアップ方法を示したフローチャートである。
【０００７】
まず、スリープモードに入れば（Ｓ１３０）、スリープタイマを設定し、電源を遮断する（Ｓ１４０）。エンドデバイスがスリープモードからウェイクアップになる条件には、周期的にウェイクアップしてウェイクアップパケットを受信した後、自身のＩＤを受信すると、上位デバイス、例えば調整者（Ｃｏｏｒｄｉｎａｔｏｒ）と通信するステータス、あるいは外部妨害（割り込み）によりウェイクアップになって該上位デバイスと通信するステータスがある（Ｓ１５０）。
【０００８】
つまり、ウェイクアップのイベントが発生すると、従来方式のＳｏＣでは、ウェイクアップパケットを処理するために、無線モデム部及びＣＰＵの両方をウェイクアップさせて電力を供給する（Ｓ１６０）。その後、ＣＰＵは無線モデムを制御し、ウェイクアップパケットを受信処理する（Ｓ１７０）。この時、ウェイクアップパケットが自身のものではなければ、再びスリープモードに入り（Ｓ１８０）、自身のウェイクアップパケットの場合、ＣＰＵは該データパケットを処理する（Ｓ１９０）。
【０００９】
センサネットワークに使われるＳｏＣは限定されたバッテリを用いるので、電力の消耗を減らすことが非常に重要である。一般的なＳｏＣにおいて、ＣＰＵの動作時の電力の消耗は全体電力消耗において多くの部分を占めるようになる。
【発明の概要】
【発明が解決しようとする課題】
【００１０】
一般に、ＳｏＣの電力消耗を減らすための方法としては、大別すると、動作周波数を低くする方法と電圧レギュレータを遮断することによって電力供給を遮断する方法とがある。ＳｏＣ内に使われるＣＰＵのシステムクロックは、数十ＭＨｚのクリスタルオシレータを用いている。ＣＰＵは、プログラムメモリ及びデータメモリの読出し／書込み（ｒｅａｄ／ｗｒｉｔｅ）する動作を繰り返し行って全体システムを運営するようになり、これによって相当な電力を消耗されてしまう。
【００１１】
そのため、従来方式のようなＳｏＣのウェイクアップ方法は、自身のパケットであるか否かを確認しないで、ウェイクアップイベントが発生すると、ＣＰＵ及び無線モデムの両方に電力を供給するため、不要な電力を消耗させるという不都合があった。
【００１２】
本発明は上記の問題点に鑑みて成されたものであって、その目的は、ジグビーデバイス、特にジグビーエンドデバイスにおいて、スリープモードからアクティブモードに切り換える場合、無線モデム部及びＣＰＵ部の両方に電源を与えてＣＰＵがウェイクアップパケットの受信可否をチェックするのではなく、無線モデム部にのみ電源を印加し、それに含まれるＭＡＣ処理部がウェイクアップパケットを受信して自身のＩＤであるか否かをチェックし、その結果に応じてＣＰＵ部への給電可否を決定することにより、不要な電力消耗を減らすことのできる低電力ジグビーデバイス及びその低電力ウェイクアップ方法を提供することにある。
【課題を解決するための手段】
【００１３】
上記課題を解決し、目的を達成するために、本発明の好適な実施の形態によれば、スリープモード及びアクティブモードを有する低電力ジグビーデバイスは、電源を供給する電源供給部と、ウェイクアップパケットを受信し、モデム部及びＲＦ（Ｒａｄｉｏ  Ｆｒｅｑｕｅｎｃｙ）部を制御するＭＡＣ（Ｍｅｄｉｕｍ  Ａｃｃｅｓｓ  Ｃｏｎｔｒｏｌ）処理部と、データパケットを受信して処理するＣＰＵとを含み、前記ＭＡＣ処理部が、ウェイクアップパケットのＩＤチェックの結果に基づいて、前記電源供給部にＣＰＵへの給電を行うようにする。
【００１４】
前記電源供給部は、スリープタイマが終了するか、または外部信号がある場合、前記ＭＡＣ処理部への給電を行うことが望ましい。
【００１５】
また、前記電源供給部は、スリープタイマが終了するか、または外部信号がある場合、前記ＣＰＵへの給電を行わないことが望ましい。
【００１６】
前記ＭＡＣ処理部は、前記ウェイクアップパケットのＩＤのチェックの結果、該ＩＤが自身のＩＤの場合、前記電源供給部をして前記ＣＰＵに電源印加信号を指示するようにし、該ＩＤが自身のＩＤではない場合、スリープモードに切り換えることが望ましい。
【００１７】
上記課題を解決し、目的を達成するために、本発明の他の好適な実施の形態によれば、電源供給部、ＭＡＣ処理部及びＣＰＵを備えるジグビーデバイスの低電力ウェイクアップ方法は、スリープタイマを設定し、該ジグビーデバイスの電源を遮断し、スリープモードを設けるステップと、ウェイクアップイベントが発生すると、前記ＭＡＣ処理部に電源を与えるステップと、前記ＭＡＣ処理部がモデム部及びＲＦ部を制御し、ウェイクアップパケットを受信し、該ウェイクアップパケットのＩＤをチェックするステップと、前記ＩＤのチェックの結果、該ＩＤが自身のＩＤの場合、前記ＣＰＵへの給電を行うステップと、を含む。
【００１８】
前記ＭＡＣ処理部に電源を与えるステップにて、前記ＣＰＵへの給電を行わないことが望ましい。
【００１９】
また、前記ＣＰＵへの給電を行うステップにて、前記ＭＡＣ処理部が、前記ウェイクアップパケットのＩＤのチェックの結果に基づいて、前記電源供給部として前記ＣＰＵへの給電を行うようにすることが望ましい。
【００２０】
また、前記ＭＡＣ処理部が、前記ウェイクアップパケットのＩＤのチェック結果、そのＩＤが自身のＩＤではない場合は再びスリープモードに切り換えることが望ましい。
【発明の効果】
【００２１】
本発明によるジグビーデバイス、特にジグビーエンドデバイスにてスリープモードからアクティブモードに切り換える場合、無線モデム部及びＣＰＵ部の両方に電源を印加し、該ＣＰＵがウェイクアップパケットの受信可否をチェックする代わり、無線モデム部にのみ電源を与えてウェイクアップパケットを受信し、該無線モデム部内のＭＡＣ処理部が自身のＩＤをチェックし、その結果に応じてＣＰＵ部への給電の可否を決定することにより、不要な電力消耗を減らすことができるという効果を奏する。
【図面の簡単な説明】
【００２２】
【図１】図１は、従来技術によるウェイクアップ方法を示すフローチャートである。
【図２】図２は、本発明の一実施の形態によるウェイクアップ方法を示すフローチャートである。
【図３】図３は、本発明の一実施の形態による低電力ジグビーデバイスのブロック図である。
【図４】図４は、本発明の一実施の形態によるＥＳＬシステムの構造図である。
【発明を実施するための形態】
【００２３】
この発明の前記ならびにその他の目的と新規な特徴は、本明細書の記述および添付の図面を通じて明らかになるであろう。
【００２４】
＜ジグビー用低電力ウェイクアップ方法＞
図２は、本発明の一実施の形態によるウェイクアップ方法を示したフローチャートである。本発明による電源供給部、ＭＡＣ処理部及びＣＰＵを含むジグビーデバイスの低電力ウェイクアップ方法は、ウェイクアップパケットの受信／処理の際において常にＣＰＵが駆動される代わりに、無線モデムのＭＡＣ処理部にてウェイクアップパケットを受信／処理するようにすることによって、該ＣＰＵの駆動に伴う電力消耗を減らし、ジグビーエンドデバイスを電力上から効率良く制御することができるウェイクアップ方法を提供する。
【００２５】
図２に示すように、一旦エンドデバイスが基本動作を行って（Ｓ２２０）、スリープモードに入る（Ｓ２３０）。該スリープモードでは、スリープタイマを設定し、ジグビーデバイスの電源を遮断する（Ｓ２４０）。
【００２６】
スリープモードでは、スリープタイマが終了したか、または外部の妨害要素があるか否かを判断する（Ｓ２５０）。スリープタイマが終了しないか、または外部の妨害要素がなければ、続いてスリープモードを維持する。一方、スリープタイマが終了したか、または外部の妨害要素があれば、一旦、無線モデム部のＭＡＣ処理部に電源を与える（Ｓ２６０）。この時、ＣＰＵ部は電源やクロックを遮断した状態である。その後、ＭＡＣ処理部はモデム部及びＲＦ部を制御し、ウェイクアップパケットを受信する（Ｓ２７０）。
【００２７】
一旦、ＭＡＣ処理部がウェイクアップパケットを受信すれば、自身のパケットであるかをＩＤで確認する（Ｓ２８０）。そのＩＤを確認した結果、自身のパケットである場合、ＭＡＣ処理部は、電源供給部からＣＰＵ部に電源を与えるようにする（Ｓ２９０）。その後、ＣＰＵはデータパケットを処理する（Ｓ３００）。
【００２８】
即ち、ウェイクアップの際に無線モデムのみに電力を供給した状態で、ＣＰＵ部には電力やクロックを遮断した状態である。この状態において、ＭＡＣ処理部にて無線モデムを制御してウェイクアップパケットを受信し、ＩＤまでチェックし、自身のＩＤの場合、ＣＰＵをウェイクアップさせ、上位デバイス、例えば、調整者（Ｃｏｏｒｄｉｎａｔｏｒ）と通信するようにし、自身のＩＤではない場合は、再びスリープモードに入るようにする。
【００２９】
また、ＭＡＣ処理部が該ウェイクアップパケットのＩＤをチェックした結果、自身のＩＤではない場合、再びスリープモードに切り換える。
【００３０】
本発明は、ウェイクアップパケットの受信及び処理のために常にＣＰＵが駆動されるのではなく、無線モデムのＭＡＣ処理部にて該処理をするようにして、電力消耗を減らす方法を提案したものである。
【００３１】
従って、自身のパケットではないけれど、外部干渉により受信信号強さ感度（Ｒｅｃｅｉｖｅｄ  Ｓｉｇｎａｌ  Ｓｔｒｅｎｇｔｈ  Ｉｎｄｉｃａｔｉｏｎ：ＲＳＳＩ）の高い信号を受信した場合、無線モデムとＣＰＵを共に稼動する場合のような不必要な電力の消費を抑えることができる。
【００３２】
従来は、ＲＳＳＩによって自身のパケットであるか否かを判断する方法が多かったが、ジグビーエンドデバイスの周辺に多数のＷＬＡＮが存在する場合にあっては、信号同士の干渉によってＲＳＳＩが大きくなってしまう場合が多くなっていた。そのため、随時、ウェイクアップ信号として認知され、不必要な電力を消耗させていた。本発明は、ＭＡＣ処理部において自身のパケットであるか否かを確認するために、ＩＤを確認した後でＣＰＵへの給電を行うので、前述したような不必要な電力消耗の問題を解決することができる。
【００３３】
＜低電力ジグビーデバイス＞
図３は、本発明の一実施の形態による低電力ジグビーデバイス３００のブロック図である。まず、本発明の一実施の形態によるスリープモード及びアクティブモードを備える低電力ジグビーデバイス３００は、無線モデム３１０と、ＣＰＵ部３２０と、電源供給部３３０とを含む。
【００３４】
無線モデム３１０は、ジグビーＲＦ３１１、ジグビーモデム部３１２及びＭＡＣ処理部３１３を含み、ＣＰＵ部３２０は中央処理装置であるＣＰＵ３２１、プログラムメモリ３２２、データメモリ３２３及び周辺部３２４を含む。一方、電源供給部３３０は無線モデム３１０及びＣＰＵ部３２０に電源を与える。
【００３５】
無線モデム３１０のＭＡＣ処理部３１３は、ウェイクアップパケットを受信し、ジグビーモデム部３１２及びジグビーＲＦ３１１を制御する。ジグビーデバイス３００には、スリープタイマが設定され、電源が遮断されてスリープモードにある間、ウェイクアップイベントが起きれば、電源供給部３３０は無線モデム３１０に電源を供給しＭＡＣ処理部３１３に電源を供給する。この時、無線モデム３１０にのみ電源を供給し、ＣＰＵ部３２０には電源を与えない。
【００３６】
ＭＡＣ処理部３１３は、ジグビーＲＦ３１１及びジグビーモデム部３１２を制御し、ウェイクアップパケットを受信し、その受信したウェイクアップパケットのＩＤをチェックして、自身のＩＤであるか否かを確認する。
【００３７】
ＩＤの確認結果、自身のＩＤではなければ、再びスリープモードに入り、自身のＩＤの場合は、電源供給部３３０がＣＰＵ部３２０に電源を供給するように指示する。これによって、自身のパケットであるかが確認された場合に限り、ＣＰＵ部３２０に電源が供給される。
【００３８】
つまり、従来、自身のパケットであるか否かを確認するために、ＣＰＵがＩＤをチェックしていたこととは異なり、ＭＡＣ処理部３１３はパケットのＩＤまでチェックし、自身のＩＤの場合に限ってＣＰＵ部３２０に電源を与える。そのため、自身のＩＤではない場合であってもウェイクアップイベントが起きてＣＰＵ部３２０及び無線モデム３１３の両方に電源を与えることと異なり、不必要な電力の消耗を削減することができる。
【００３９】
ＣＰＵ部３２０は、スリープモードでは電源が遮断された状態にある。その後、ウェイクアップイベントが起き、ＭＡＣ処理部３１３が該受信したウェイクアップパケットのＩＤが自身のＩＤの場合に、電源供給部３３０としてＣＰＵ部３２０に電源を与えるようにする。その後、ＣＰＵ３２１はデータパケットを受信して処理する。
【００４０】
言い換えれば、自身のパケットが受信されたと判断された場合にのみ、ＣＰＵ部３２０に電源が供給される。スリープタイマが終了したり、外部信号のあるウェイクアップイベントが発生した場合のみで、ＣＰＵ部に電源を与えないようになる。これが、従来技術と本発明との間の最も大きな差であると言える。
【００４１】
本発明によるジグビーデバイス３００に電源を供給する電源供給部３３０は、ウェイクアップイベントが発生した場合、無線モデム３１０にのみ電源を供給する。また前述のように、ＭＡＣ処理部３１３が該受信したウェイクアップパケットのＩＤを確認した結果、自身のパケットであると判断された場合に限り、電源供給部３３０はＣＰＵ部３２０に電源を与えることになる。
【００４２】
図４は、本発明の一実施の形態によるＥＳＬシステムの構造図である。ＥＳＬシステムは、現在大型値引き売り場のように物件を陳列して価格を表示する所において、最近使用頻度が高くなっている。これは、随時に価格を修正したり、一時に価格割引イベントをする場合のように価格情報を変更する場合、いちいち人が該価格ラベルを修正しなければならないという面倒さを解決するため、最近ユビキタスと関連して脚光を浴びている。
【００４３】
大型値引き売り場において陳列台の物件の価格情報を示すＥＳＬ用ＳｏＣをジグビーエンドデバイスの例として挙げる。センターではＷＬＡＮ４１０で情報を管理する。各々の陳列台の物件に該当する価格情報をジグビーデータに設定してジグビー調整者４００に伝送する。該ジグビー調整者４００は同様に、ＷＬＡＮ４１０及びジグビーＳｏＣ４２０によって構成される。ジグビー調整者４００は、自身の子デバイスとしてのジグビーエンドデバイスに該価格情報を伝送する。ジグビーエンドデバイスの一実施の形態として、ＥＳＬ用ＳｏＣ３００を示した。ＥＳＬ用ＳｏＣ３００は、ジグビー調整者４００からの該価格情報をディスプレイ装置５００（例えば、ｓｅｖｅｎ  ｓｅｇｍｅｎｔ  ＬＥＤ）上に表示する。ＥＳＬ用ＳｏＣ３００がディスプレイ装置５００と共に陳列台に取り付けられる。
【００４４】
ＥＳＬシステムのようにバッテリを用いるエンドデバイスは、製品特性上、一つのバッテリで約５〜７年ほどが使用可能にするべきである。ＥＳＬシステムの特性の上、エンドデバイスは価格情報変更、イベント性割引（例えば、午後１時から２時まで破格半値割引行使など）など比周期的に情報をアップデートすると共に、これを早い時間内に処理しなければならない。そのため、エンドデバイスは約１分〜１０分の間の周期的なウェイクアップを通じて自身がアップデートする情報があるかをチェックしなければならなく、このようなアップデートは略一日当り２〜３回程度ありえる。このようなシステムを考慮する場合、数ｍＡ〜数十ｍＡを消耗するＣＰＵ部の電力消耗を減らすことは非常に重要である。
【００４５】
また、本実施の形態でのように、大型値引き売り場の物件の価格情報は毎日アップデートをしなければならない品目（例えば、野菜、果物など）、一定期間間固定価格を有する品目（例えば、工産品）、またはイベント性として特定時間に割引をする品目などがありえる。即ち、価格を表示するＥＳＬ用ＳｏＣでも、物件の特性の上、周期的にウェイクアップしても自身のデータではない場合がありえる。そのため、ジグビー調整者４００はアップデートする情報をネットワーク全体に知らせ、エンドデバイスであるＥＳＬ用ＳｏＣ３００側において自身のパケットのみを受信して処理（即ち、変更された価格情報をディスプレイ）しなければならない。従って、ウェイクアップの周期を同じく設定したＥＳＬ用ＳｏＣ３００の場合に、自身のＩＤを確認してＣＰＵ部３２０に電源を与える場合、不要な電力消耗を相当改善することができる。
【００４６】
実際に、３２ＭＨｚの低電力用ジグビーエンドデバイスの場合、従来においてＣＰＵ部及び無線モデム部の両方がウェイクアップされるジグビーエンドデバイスに比べて、５０％程度の電力減少の効果を奏することができる。従って、本発明によるジグビーデバイスは、従来のデバイスに比べて、その使用期間を２倍に延ばすことができるという利点がある。
【００４７】
今回開示された実施の形態は例示に過ぎず、制限的なものではないと考えられるべきである。本発明の範囲は、上記した実施の形態の説明ではなく、特許請求の範囲によって示され、特許請求の範囲と均等の意味及び範囲内でのすべての変更が含まれることが意図される。
【符号の説明】
【００４８】
３００  ジグビーデバイス
３１０  無線モデム
３１１  ジグビーＲＦ部
３１２  ジグビーモデム部
３１３  ＭＡＣ処理部
３２０  ＣＰＵ部
３２１  ＣＰＵ
３２２  プログラムメモリ
３２３  データメモリ
３２４  周辺部
３３０  電源供給部
【図１】
2010109959.tif 000003
【図２】
2010109959.tif 000004
【図３】
2010109959.tif 000005
【図４】
2010109959.tif 000006